(57)【特許請求の範囲】
【請求項１】
現像機中で写真フィルムを搬送する際に用いるフィルムリーダーにおいて、写真フィルムの先端近傍に設けられた孔に中心支持片の先端近傍から両側に突き出た凸部で嵌合する先端両開き突片をフィルムリーダー本体後端に有し、中心支持片の付け根の長さが写真フィルムの先端と孔の間の距離より長く設定されていることを特徴とする現像機用フィルムリーダー。
【請求項２】
請求項１に記載された現像機用フィルムリーダーにおいて、フィルムリーダー本体と先端両開き突片とが、弾性を有し可撓性の１枚のシートから先端両開き突片の中心支持片の付け根で一体に結合して形成されていることを特徴とする現像機用フィルムリーダー。
【請求項３】
請求項２に記載された現像機用フィルムリーダーにおいて、先端両開き突片の中心支持片の先端がフィルムリーダー本体の後端辺より突出して構成されることを特徴とする現像機用フィルムリーダー。
【請求項４】
請求項２に記載された現像機用フィルムリーダーにおいて、先端両開き突片の中心支持片の先端がフィルムリーダー本体の後端辺と一致するかそれより内側に位置して構成されることを特徴とする現像機用フィルムリーダー。
【請求項５】
写真フィルムと請求項１に記載された現像機用フィルムリーダーとの結合方法において、先端両開き突片の中心支持片の先端近傍から両側に突き出た凸部で嵌合する孔は写真フィルムに設けられた１つの孔であることを特徴とする現像機用フィルムリーダーと写真フィルムとの結合方法。
【請求項６】
写真フィルムと請求項１に記載された現像機用フィルムリーダーとの結合方法において、先端両開き突片の中心支持片の先端近傍から両側に突き出た凸部で嵌合する孔は写真フィルムに設けられた複数の孔であることを特徴とする現像機用フィルムリーダーと写真フィルムとの結合方法。
【請求項７】
請求項５又は６に記載された現像機用フィルムリーダーと写真フィルムとの結合方法を実施するのに使用される写真フィルムの装着用冶具において、現像機用フィルムリーダーの先端両開き突片の少なくとも一部を上下より挟む２つのアームを有するペンチと、一方のアームの先端に設けられたＵ字断面を持ち、先端両開き突片の中心支持片の先端近傍から両側に突き出た凸部を上方へ押し上げる案内部材と、他方のアームの先端に設けられ、一方のアームの先端の案内部材のＵ字断面内に嵌まって、先端両開き突片の中心支持片を下方へ押し下げる押圧部材とを有することを特徴とする現像機用フィルムリーダーへの写真フィルムの装着用冶具。
【発明の詳細な説明】
【０００１】
【発明の属する技術分野】
本願発明は、現像機用フィルムリーダー、その結合方法、及び装着用冶具に関し、特に、現像機用フィルムリーダーを用いて写真フィルムを現像する際、乾燥不良等なしに自動現像を可能にすることに関する。
【０００２】
【従来の技術】
露光された写真フィルムを自動現像機で現像するには、写真フィルムは現像液、定着液、洗浄液を順次通過し、最後に乾燥工程を経ねばならない。これら写真フィルムの自動現像機中での搬送には、写真フィルムを先導するフィルムリーダーと呼ばれる薄い板が用いられる。
【０００３】
フィルムリーダーとは、図８（ａ）に示すように、フィルムリーダー本体１の中央に、自動現像機中に設けられた搬送用ベルトの歯あるいはスプロケットに係合する孔２が規則的に配置されており、また、その搬送方向の後端には複数の写真フィルム３が着脱可能なように結合されている。写真フィルム３を現像するには、写真フィルム３をフィルムリーダー１に結合した状態にて、フィルムリーダー１を先導させて自動現像機内を順次搬送することにより行われる。
【０００４】
従来は、フィルムリーダー１に写真フィルム３を結合する手段として、図８（ａ）で示すように、フィルムリーダー１の後端に写真フィルム３をスプライステープ４により貼り付ける方法が用いられていた。
【０００５】
しかしながら、この方法は、スプライステープ４の貼り付け、及び、現像後の取り外しの手間がかかる上、正確な貼り付けをするためには特殊な作業台を必要とし、使用したスプライステープは再利用が困難であり、効率的・経済的と言えなかった。また、スプライステープ４が貼り付けられた部分の写真フィルム３は現像されず、処理後、残りの部分と色が異なり、見栄えの悪いものとなっていた。
【０００６】
これに対して、スプライステープを用いない結合方法として、特開平６−２８９５６９号には、図８（ｂ）に示すように、写真フィルム３の先端近傍に設けられた２つの孔６をフィルムリーダー１上に設けられた突片５に係合させ、写真フィルム３の端部両側はさらにフィルムリーダー１上の切欠部７に挿通されてフィルムリーダー１の背面に係合され、この両者が結合部を構成している。
【０００７】
また、特開平７−５６３１４号には、図８（ｃ）に示すように、フィルムリーダー１の後部にフィルムリーダー１の縁まで延びるスリットを設け、スリットと縁との間に一対のフラップ８を形成する。写真フィルム３とフィルムリーダー１との結合方法は、写真フィルム３に設けられた２つの孔６に上記フラップ８を挿入することにより行われる。
【０００８】
【発明が解決しようとする課題】
しかしながら、これらのスプライステープを用いない方法はいくつかの問題点を有している。
まず、特開平６−２８９５６９号に記載された結合方法は、写真フィルム３とフィルムリーダー１との接触面積が大きく、現像液等の液中を通過する現像工程の後、写真フィルム３を乾燥させる工程において、写真フィルム３とフィルムリーダー１との間に溜まった液体が乾燥され難く、そのため、写真フィルム３の結合部付近は現像ムラ、乾燥ムラが発生しやすくなっている。
【０００９】
また、特開平７−５６３１４号に記載された結合方法は、写真フィルムとフィルムリーダーとの接触面積が比較的少なく、現像ムラ、乾燥ムラは比較的発生し難いが、両者を結合するには写真フィルム３に２つ以上の孔６が必要であり、例えば先端部に１つの係合用孔しか設けられていない写真フィルムにはこの方法は採用できない。
【００１０】
先端部に１つの長孔を有する写真フィルムとフィルムリーダーとの１つの結合方法は、特開平６−３４７９８２号に開示されているが、この方法も上記特開平６−２８９５９６号と同様に、両者の接触面積が大きく現像ムラ、乾燥ムラが発生しやすく、さらに、２つ以上の孔を有するタイプの写真フィルムにはそのまま適用できないという問題を有する。
【００１１】
本発明は従来技術のこれらの問題点に鑑みてなされたものであり、その目的は、写真フィルムと現像機用フィルムリーダーとの接触面積が少なく現像ムラ、乾燥ムラが発生し難く、しかも、先端に１つ以上の孔を有する多種の写真フィルムに適用可能な現像機用フィルムリーダーを提供することであり、この現像機用フィルムリーダーと写真フィルムとの結合方法、及び、この現像機用フィルムリーダーと写真フィルムとの装着を容易にする装着用冶具を提供することである。
【００１２】
【課題を解決するための手段】
上記目的を達成する本発明の現像機用フィルムリーダーは、現像機中で写真フィルムを搬送する際に用いるフィルムリーダーにおいて、写真フィルムの先端近傍に設けられた孔に中心支持片の先端近傍から両側に突き出た凸部で嵌合する先端両開き突片をフィルムリーダー本体後端に有し、中心支持片の付け根の長さが写真フィルムの先端と孔の間の距離より長く設定されていることを特徴とするものである。
【００１３】
この場合、フィルムリーダー本体と先端両開き突片とが、弾性を有し可撓性の１枚のシートから先端両開き突片の中心支持片の付け根で一体に結合して形成されていることが望ましい。また、先端両開き突片の中心支持片の先端がフィルムリーダー本体の後端辺より突出して構成されるか、フィルムリーダー本体の後端辺と一致するかそれより内側に位置するように構成される。
【００１４】
また、本発明の現像機用フィルムリーダーと写真フィルムとの結合方法は、写真フィルムと上記の現像機用フィルムリーダーとの結合方法において、先端両開き突片の中心支持片の先端近傍から両側に突き出た凸部で嵌合する孔が写真フィルムに設けられた１つの孔であるか、あるいは、複数の孔であることを特徴とする方法である。
【００１５】
また、本発明の現像機用フィルムリーダーへの写真フィルムの装着用冶具は、このような結合方法を実施するのに使用される写真フィルムの装着用冶具において、現像機用フィルムリーダーの先端両開き突片の少なくとも一部を上下より挟む２つのアームを有するペンチと、一方のアームの先端に設けられたＵ字断面を持ち、先端両開き突片の中心支持片の先端近傍から両側に突き出た凸部を上方へ押し上げる案内部材と、他方のアームの先端に設けられ、一方のアームの先端の案内部材のＵ字断面内に嵌まって、先端両開き突片の中心支持片を下方へ押し下げる押圧部材とを有することを特徴とするものである。
【００１６】
以上のような本発明の現像機用フィルムリーダー、及び、現像機用フィルムリーダーと写真フィルムとの結合方法においては、写真フィルムの先端近傍に設けられた孔に中心支持片の先端近傍から両側に突き出た凸部で嵌合する先端両開き突片をフィルムリーダー本体後端に有し、中心支持片の付け根の長さが写真フィルムの先端と孔の間の距離より長く設定されており、この先端両開き突片のみで写真フィルムとの結合を達成しているため、写真フィルムと現像機用フィルムリーダーとの接触面積が少なくでき、写真フィルムの現像、乾燥工程等において写真フィルムと現像機用フィルムリーダーとの間に現像液等が溜まることがなく、結合部付近に現像ムラ、乾燥ムラが発生し難い。しかも、結合部材が先端両開き突片であるために、１つ以上の孔を有する多種の写真フィルムに対して適用可能である。さらに、上記構成の現像機用フィルムリーダーへの写真フィルムの装着用冶具を用いることにより、現像機用フィルムリーダーと写真フィルムとの装着を容易に達成することができる。
【００１７】
【発明の実施の形態】
以下、添付の図面を参照して本発明の現像機用フィルムリーダー、現像機用フィルムリーダーと写真フィルムとの結合方法、現像機用フィルムリーダーへの写真フィルムの装着用冶具等の実施例について詳細に説明する。
【００１８】
図１（ａ）、（ｂ）は、本発明によるフィルムリーダーを示したものである。フィルムリーダー１は、弾性のあるプラスチック等の可撓性を有する１枚のシートを、図（ａ）、（ｂ）のように、自動現像機の搬送用スプロケットに係合する孔２とＴ字状片１０、１１を同時に打ち抜き加工等によって製作される。その他、フィルムリーダー１の本体部とＴ字状片１０、１１を別途作製して熱融着等の接着手段により接合し、図１のように形成することもできる。
【００１９】
ここで、フィルムリーダー１の材質としては、ポリエステル樹脂が適しており、ＰＥＴ（ポリエチレンテレフタレート）、ＰＥＮ（ポリエチレンナフタレート）フィルムがあげられる。ＰＥＴでは、東レ（株）製の商品名「ルミラー」がある。ＰＥＮでは、帝人（株）製の商品名「テオネックス」がある。一般にＡ−ＰＥＮと呼ばれるフィルムも適している。溶融押出・二軸延伸製膜法による二軸配向フィルムは、本用途に対して機械的特性に優れ、特に好ましい。ポリエステルフィルムの他には、溶融押出・二軸延伸製膜法によるＰＰＳ（ポリフェニレンサルファイド）フィルムも適している。ＰＰＳでは、東レ（株）製の商品名「トレリナ」があげられる。ＰＰＳは、ポリエステルよりもさらに強酸、強アルカリ性の処理液に対して高い耐薬品性があり、迅速処理処方等のより高い耐薬品性が求められる写真処理液には適した材質である。
【００２０】
さて、このＴ字状片１０、１１は、後で述べるように、写真フィルムの先端近傍に設けられた孔に係合させることから、Ｔ字状片１０、１１の付け根（縦棒）の長さは、写真フィルムの先端と孔の間の距離より長くすることが、重なり面積を少なくする上で望ましく、また、Ｔ字状片１０、１１の付け根の幅、Ｔ字状片１０、１１の左右の凸部（横棒）の張り出し長等は、適応される写真フィルムの孔の大きさ、配置等に合わせて適宜設定される。また、Ｔ字状片１０、１１の付け根の形状を末広がりにしてＴ字状片１０、１１に強度を持たせたり、写真フィルムの孔への挿入を容易にしたり、挿脱時に写真フィルムを傷付けないようにするため、Ｔ字状片１０、１１の左右の凸部の形状をテーパ状にしたり、丸みを持たせる等の種々の変更が可能である。
【００２１】
図１（ａ）のように、Ｔ字状片１０がフィルムリーダー１の本体部の後端辺より突き出すタイプは、写真フィルムとフィルムリーダー１との接触面積が少なく、自動現像機内で搬送される間に写真フィルムとフィルムリーダー１とが擦れ合い傷付くことを抑制できる。また、図１（ｂ）のように、Ｔ字状片１１をフィルムリーダー１の本体部の後端辺内に収納するタイプは、打ち抜き加工で製作する際には余分な打ち抜き屑が発生し難く、経済的かつ資源の有効利用が図れる。
【００２２】
なお、図１（ａ）と（ｂ）の中間の形状、すなわち、Ｔ字状片の付け根（縦棒）がフィルムリーダー１の本体部の後端辺より若干内側になるように、その両側に切込みを入れ（図（ｂ））、かつ、Ｔ字状片の左右の凸部（横棒）をフィルムリーダー１の本体部の後端辺より突き出させる（図（ａ））形状を採用することも可能である。
【００２３】
このようなＴ字状片を持つフィルムリーダーと写真フィルムの結合方法としては、図２（ａ）、（ｂ）に示すように、フィルムリーダー１のＴ字状片１１（又は１０）の左右の凸部１２、１３を弾性に抗して曲げて写真フィルム３の１つの孔９に挿入し、その後弾性に従って元に戻すことにより嵌合させたり、Ｔ字状片１１の左右の凸部１２、１３を写真フィルム３に設けられた別々の孔６に同様に嵌合させて行うことができる。また、図示していないが、１つの写真フィルム３上に３つ以上の結合用の孔を有する場合は、それらの孔の中から１つ又は２つを選択して、図２（ａ）、（ｂ）に示したように、フィルムリーダー１と結合させることができる。このように、Ｔ字状片１０、１１を有するフィルムリーダー１は、１つのフィルムリーダー１で多種の写真フィルム３を取り扱うことが可能となる。
【００２４】
次に、図３（ａ）を参照にして、上記のようなＴ字状片１１を有するフィルムリーダー１と写真フィルム３との結合に用いられる装着用冶具について説明する。装着用冶具２０は、アーム２１、２２と把持部２６、２７及び回転支持軸２５からなるペンチの形態をとっている。一方のアーム２１の先端にはＵ字断面を持ち、Ｔ字状片１１の左右の凸部を上方へ押し上げるための案内部材２３が設けられている。他方のアーム２２の先端には、Ｔ字状片１１の頂部（横棒）の中央を下方へ押し下げるための押圧部材２４が設けられている。押圧部材２４の形状としては、図３（ａ）のように円柱状とする以外にも種々の形状が可能であり、また、押圧部材２４とアーム２２との接合する角度も取り扱いやすいように適宜設定できる。さらには、アーム２２に対して押圧部材２４を揺動・回動可能に構成し、フィルムリーダー１のＴ字状片１１の押圧や、図５（ｃ）に示すような引き抜き時のＴ字状片１１への機械的負荷を軽減することも可能である。より引き抜きをスムーズにするには、アーム２２の先端に取り付ける押圧部材として、図３（ｂ）に示すようなローラ２８を用いることもできる。
【００２５】
図５には、上記装着用冶具２０を用いてフィルムリーダー１への写真フィルム３の装着方法が示されている。写真フィルム３をフィルムリーダー１に装着するには、まず、装着用冶具２０の２つのアームの先端に設けられた案内部材２３と押圧部材２４により、フィルムリーダー１のＴ字状片１１を上下より挟み、Ｔ字状片１１の左右の凸部１２、１３を図５（ｂ）のように上方へ押し上げ、上向きになった凸部１２、１３に写真フィルム３の孔６を挿入する。その後、図５（ｃ）に示すように、フィルムリーダー１と写真フィルム３を手で軽く挟み装着用冶具２０をＴ字状片から引き離すことにより、Ｔ字状片１１を形成する材質の弾性により、図２（ｂ）に示したように、Ｔ字状片１１の左右の凸部１２、１３が写真フィルムの孔６に係合したまま広がってその孔に凸部１２、１３が引っ掛かり、フィルムリーダー１と写真フィルム３との結合が達成される。
【００２６】
また、結合されたフィルムリーダー１と写真フィルム３とを取り外す際は、図４のようなテーパ状の先端部３１を有する取り外し用冶具３０を利用し、図６のように、冶具３０のテーパ状先端部３１をフィルムリーダー１と写真フィルム３との間に、Ｔ字状片１１の付け根側から挿入することにより、両者の係合を解除することができる。また、取り外し用冶具については、テーパ状先端部３１の形状を写真フィルムを傷つけないように丸みを持たせたり、冶具の取り扱い方法に応じて適宜先端部３１と把持部３３から延びてアーム３２との接合角度を設定することができる。
【００２７】
また、一層写真フィルム３を傷付けないようにするためには、装着用冶具２０の案内部材２３、押圧部材２４、アーム２１、２２の背、取り外し用冶具の先端部３１等の表面は樹脂等で被覆することも可能である。
【００２８】
ところで、以上の実施例では、フィルムリーダー１と写真フィルム３との結合には、Ｔ字状片１１を孔６、９に嵌合するものとしたが、これに限定されず、図７（ａ）〜（ｅ）に示すような形状の先端両開き突片であってもよい。図（ａ）はＹ字状片、（ｂ）はＶ字状片、（ｃ）はＸ字状片、（ｄ）は十字状片、（ｅ）は嵌合する凸部先端にコブ１１′を設け（図の場合は十字状片の凸部に設けてあるが、他の場合も同様）、写真フィルム３の孔６、９から抜け難くしたコブ状片と呼ぶべき形状のものである。
【００２９】
なお、以上の実施例では、写真フィルムのフィルムリーダーへの着脱を手作業で行うことを前提に示したが、これら一連の工程を機械により自動化することも可能である。
【００３０】
以上、本発明の現像機用フィルムリーダー、現像機用フィルムリーダーと写真フィルムとの結合方法、及び、現像機用フィルムリーダーへの写真フィルムの装着用冶具を実施例に基づいて説明したが、本発明はこれら実施例に限定されず種々の変形が可能である。
【００３１】
【発明の効果】
以上の説明から明らかなように、本発明の現像機用フィルムリーダー、及び、現像機用フィルムリーダーと写真フィルムとの結合方法によると、写真フィルムの先端近傍に設けられた孔に中心支持片の先端近傍から両側に突き出た凸部で嵌合する先端両開き突片をフィルムリーダー本体後端に有し、中心支持片の付け根の長さが写真フィルムの先端と孔の間の距離より長く設定されており、この先端両開き突片のみで写真フィルムとの結合を達成しているため、写真フィルムと現像機用フィルムリーダーとの接触面積が少なくでき、写真フィルムの現像、乾燥工程等において写真フィルムと現像機用フィルムリーダーとの間に現像液等が溜まることがなく、結合部付近に現像ムラ、乾燥ムラが発生し難い。しかも、結合部材が先端両開き突片であるために、１つ以上の孔を有する多種の写真フィルムに対して適用可能である。さらに、上記構成の現像機用フィルムリーダーへの写真フィルムの装着用冶具を用いることにより、現像機用フィルムリーダーと写真フィルムとの装着を容易に達成することができる。
【図面の簡単な説明】
【図１】本発明の実施例の現像機用フィルムリーダーの斜視図である。
【図２】１つ実施例の現像機用フィルムリーダーに写真フィルムを結合した状態を示す斜視図である。
【図３】本発明による写真フィルムの装着用冶具の構成を示す斜視図である。
【図４】本発明による現像機用フィルムリーダーから写真フィルムを取り外す際に用いられる冶具の構成を示す斜視図である。
【図５】本発明による現像機用フィルムリーダーに写真フィルムを装着する手順を示す斜視図である。
【図６】本発明による現像機用フィルムリーダーから写真フィルムを取り外す手順を示す斜視図である。
【図７】結合片の変形を示す平面図である。
【図８】従来のフィルムリーダーと写真フィルムとの結合構造を説明するための図である。
【符号の説明】
１…フィルムリーダー
２…自動現像機の搬送用ベルトの歯あるいはスプロケットに係合する孔
３…写真フィルム
６、９…写真フィルムに設けられた孔
１０、１１…Ｔ字状片
１１′…コブ
１２、１３…Ｔ字状片の左右の凸部
２０…装着用冶具
２１、２２…アーム
２３…案内部材
２４…押圧部材
２５…回転支持軸
２６、２７…把持部
２８…ローラ
３０…取り外し用冶具
３１…先端部
３２…アーム
３３…把持部
【図１】
0003677526.tif 000002
【図２】
0003677526.tif 000003
【図３】
0003677526.tif 000004
【図４】
0003677526.tif 000005
【図５】
0003677526.tif 000006
【図６】
0003677526.tif 000007
【図７】
0003677526.tif 000008
【図８】
0003677526.tif 000009